(57)【特許請求の範囲】
【請求項１】
冷凍サイクルに可燃性冷媒を用いた冷蔵庫において、庫内灯ランプとソケットを一体化し、リード線との接続部をピン差込方式としてピン接続部を下方に向け、かつ前記ピン接続部の下方で前記リード線をＵ字状に形成した水切り部を設けることにより、前記リード線に付着した水滴が前記ピン接続部へ流れ込むことを防止する照明装置を用いたことを特徴とする冷蔵庫。
【請求項２】
庫内冷却用の風路を形成するダクトカバーに前記風路とは独立した空間部を設け、前記空間部に照明装置を設けて透光性の照明カバーで覆ったことを特徴とする請求項１に記載の冷蔵庫。
【請求項３】
リード線に水切り部を形成する位置決めのため、リード線の一部をダクトカバーに固定することを特徴とする請求項２に記載の冷蔵庫。
【請求項４】
照明装置の点灯制御を無接点リレーの扉スイッチで行なうことを特徴とする請求項１から３のいずれか一項に記載の冷蔵庫。
【発明の詳細な説明】
【０００１】
【発明の属する技術分野】
本発明は、可燃性冷媒を使用した冷蔵庫の照明装置に関するものである。
【０００２】
【従来の技術】
従来の冷蔵庫の照明装置に関するものとしては、特開平６−１４７７４８号公報が挙げられる。
【０００３】
以下、図面を参照しながら上記従来の冷蔵庫を説明する。
【０００４】
図６において、１は冷蔵庫の庫内で、断熱壁２で区画形成されている。３は庫内灯で、ソケット本体４の取付穴５の端子部６，７に、庫内灯３の口金３ａを螺合し固定されるものである。８、９はコネクタ１０と結合する端子部で、コネクタ１０はリード線１１に接続されている。
【０００５】
以上のような構成により、製造時の部品取り付けや冷蔵庫設置後の部品交換時は、庫内灯３の口金３ａを回転させながらソケット本体４に取付けるものである。
【０００６】
【発明が解決しようとする課題】
ところで、冷蔵庫の冷媒には、安全性の面からＲ１３４ａなどの不燃性冷媒が用いられているが、近年は、地球温暖化防止という観点から地球温暖化係数（ＧＷＰ）の低い炭化水素系冷媒が注目されている。
【０００７】
冷凍サイクルに可燃性冷媒を用いた場合、上記従来の構成では、庫内灯３とソケット本体４が螺合し固定されるものであるため、使用時に螺合部が緩み、端子部６，７と庫内灯３の口金３ａの接点が不完全となり、庫内灯３点灯時にスパークが発生し、万が一可燃性冷媒が庫内に漏れていた場合、不安全になる危険性が生じる。
【０００８】
本発明は上記の課題を解決するもので、可燃性冷媒を使用した冷蔵庫の安全性向上を図る冷蔵庫を提供することを目的とする。
【０００９】
【課題を解決するための手段】
本発明の請求項１に記載の発明は、冷凍サイクルに可燃性冷媒を用いた冷蔵庫において、庫内灯ランプとソケットを一体化し、リード線との接続部をピン差込方式としてピン接続部を下方に向け、かつ前記ピン接続部の下方で前記リード線をＵ字状に形成した水切り部を設けることにより、前記リード線に付着した水滴が前記ピン接続部へ流れ込むことを防止する照明装置を用いたものであり、庫内灯ランプとリード線の接続部の緩みによる点灯時のスパークの発生を防止することができ、万が一可燃性冷媒が庫内に漏洩した場合でも、不安全になることを防止することができる。また、より確実にリード線に付着した水滴がピン接続部に流れ込むことを防止できる。
【００１５】
請求項２に記載の発明は、請求項１に記載の発明において、庫内冷却用の風路を形成するダクトカバーに前記風路とは独立した空間部を設け、前記空間部に照明装置を設けて透光性の照明カバーで覆ったものであり、万が一、蒸発器から可燃性冷媒が漏洩したとしても、照明装置は、風路とは独立した空間部に設け、前面に照明カバーを設けているので、直接、冷媒と接する可能性を低減できる。
請求項３に記載の発明は、請求項２に記載の発明において、リード線に水切り部を形成する位置決めのため、リード線の一部をダクトカバーに固定するものであり、確実に水切り部を形成してリード線に付着した水滴がピン接続部に流れ込むことを防止できる。
請求項４に記載の発明は、請求項１から３のいずれか一項に記載の発明において、照明装置の点灯制御を無接点リレーの扉スイッチで行なうものであり、照明装置の点灯制御時のスイッチからのスパークの発生源をなくすことができる。
【００１７】
【発明の実施の形態】
以下、本発明による冷蔵庫の実施の形態について、図面を参照しながら説明する。
【００１８】
（実施の形態１）
図１は、本発明の実施の形態１による冷蔵庫の正面図である。図２は同実施の形態の冷蔵庫の冷蔵室のダクトカバー正面図である。図３は同実施の形態の冷蔵庫の冷蔵室のダクトカバーを裏面から見た要部拡大図である。図４は同実施の形態の冷蔵庫の照明装置の斜視図、図５は同実施の形態の冷蔵庫の照明装置のＡ−Ａ断面図である。
【００１９】
図において、１２は冷蔵庫本体で、上部に冷蔵室１３、中央部に野菜室１４、下部に冷凍室１５を有している。１６は、冷蔵室１３の背面に取付けたダクトカバーで、吐出風路１７および吸込風路１８を構成し、それぞれ吐出口１９、吸込口２０を配設している。２１は照明装置で、照明装置取付部材２２に係止爪などで固定されている。そして、照明装置取付部材２２は、照明装置取付部材２２に一体に形成した固定部３１を介して、ビス３２でダクトカバー１６に固定されている。そして、照明装置２１はダクトカバー１６の吐出風路１７あるいは吸込風路１８とは独立した空間部に設け、冷蔵室１３内の左右上下略中央部に配置しており、照明装置２１の前面に透光性の照明カバー２３を設けている。
【００２０】
照明装置２１はリード線２４とコネクタ２５を用いて接続端子のピン２６に差込方式でピン接続部を下方に向けて接続されている。また、リード線２４はコネクタ２５（ピン接続部）の下方で、リード線２４をＵ字状に形成した水切り部２７を設けている。また、水切り部２７を形成するためのリード線２４の位置決めのため、リード線２４の一部を固定部３１でダクトカバー１６に固定している。そして、照明装置２１本体はソケット２８と庫内灯ランプ２９を係止爪などで嵌合させて一体化して組み立てられており、ソケット２８のピン差込側に向かって、ピン接続部を覆うように周縁部にピン２６の高さと略同一のカバー部３０を設けている。
【００２１】
また、冷蔵室１３の前面には回転式の冷蔵室扉１３ａを有し、冷蔵室扉１３ａの開閉動作を検知して照明装置２１の点灯、消灯を制御する扉スイッチ３１はホールＩＣなどの無接点リレーであり、冷蔵室１３と野菜室１４の仕切部に埋め込まれている。また、冷蔵室扉１３ａの下部には、扉スイッチ３１に対向してマグネット３２が組み込まれている。
【００２２】
また、冷蔵庫１２を冷却する冷凍サイクル内には可燃性冷媒である、たとえばイソブタンを冷媒として封入している。
【００２３】
以上のように構成した冷蔵庫において、図示しない圧縮機、凝縮器、減圧装置、蒸発器からなる冷凍サイクルの動作により、冷蔵室１３、野菜室１４、冷凍室１５は所定の温度に冷却される。冷蔵室においては、蒸発器で生成された冷気は庫内冷却ファン（図示せず）から吐出風路１７を通り吐出口１９から庫内に吐出され食品等を冷却する。そして、熱交換して暖められた空気は吸込口２０から吸込風路１８を通り蒸発器に戻る。
【００２４】
そして、使用者が食品を取り出すため冷蔵室扉１３ａを開とすると、扉スイッチ３１の動作により電源がリード線２４を介して照明装置２１に供給され点灯する。
【００２５】
ここで、照明装置２１は庫内灯ランプ２９とソケット２８を一体化し、リード線２４との接続部（ピン２６）をコネクタ２５を用いた差込方式としているので、庫内灯ランプ２９とリード線の接続部の緩みによる点灯時のスパークの発生を防止し、着火源をなくすことができ、冷凍サイクルに可燃性冷媒を用いた冷蔵庫において、万が一可燃性冷媒が庫内に漏洩した場合でも、不安全になることを防止することができる。
【００２６】
また、照明装置２１の点灯制御を無接点リレーの扉スイッチ３１で行なうものであり、照明装置２１の点灯制御時のスイッチからのスパークの発生源をなくすことができるので、冷凍サイクルに可燃性冷媒を用いた冷蔵庫において、万が一可燃性冷媒が庫内に漏洩した場合の安全性をさらに高めることができる。
【００２７】
また、照明装置２１のソケット２８のピン差込側に、ピン接続部を覆うように周縁部にピン２６の高さと略同一のカバー部３０を設けているので、ピン接続部をカバー部３０で覆うことにより、接点への水かかりを防ぎ、トラッキング現象を防止することができる。したがって冷蔵庫１２本体の安全性を高めることができる。
【００２８】
また、照明装置２１のピン接続部（コネクタ２５）側を下方に向けて庫内に設置し、さらにリード線２４はピン接続部（コネクタ２５）の下方で、Ｕ字状に形成した水切り部２７を設けているので、リード線に付着した水滴がピン接続部に流れ込むことを防止でき、接点への水の侵入を防ぎ、トラッキング現象を防止することができ、冷蔵庫１２本体の安全性をさらに高めることができる。
【００２９】
また、照明装置２１は、内箱背面に取り付けるダクトカバー１６に設けたものであり、冷蔵庫１２製造組立時に、あらかじめ照明装置２１を取り付けたダクトカバー１６を内箱背面に組み込めばよく、取付確実性、組み込み作業性が向上する。
【００３０】
また、照明装置２１は、ダクトカバー１６の風路とは独立した空間部に設け、庫内の左右上下略中央部に前記照明装置２１を配置し、前面に照明カバー２３を設けたものであり、万が一、蒸発器から可燃性冷媒が漏洩したとしても、照明装置２１は、庫内を冷却するための風路とは独立した空間部に設け、前面に照明カバー２３を設けているので、万が一蒸発器から可燃性冷媒が漏洩した場合でも直接、照明装置２１が冷媒と接する可能性を低減できる。また、照明装置は庫内の左右上下略中央部に配置しているので、庫内全体をむらなく効率的に照らすことができ、使用者の使い勝手の向上を図ることができる。
【００３１】
なお、本実施の形態では、照明装置２１を冷蔵室１３の略中央部に単独で設置したもので説明したが、同一区画室に複数の照明装置を配設してもよい。この場合、より庫内全体をむらなく効率的に明るく照らすことができるとともに、１つの照明装置に不具合が生じても実使用上の不具合を回避することができる。
【００３２】
また、本実施の形態では、照明装置取付部材２２をダクトカバー１６とは別体に形成し固定しているが、照明装置取付部材２２をダクトカバー１６と一体に形成してもよい。
【００３３】
また、本実施の形態では、照明装置２１をダクトカバー１６に固定する仕様で説明したが、照明装置２１を内箱背面側に固定するものでもよい。この場合、リード線２４のピン接続部であるコネクタ２５を、ダクトカバー１６の組み込み前に接続できるので、ダクトカバー１６組み込み後のコネクタ２５の接続が不要となり組立時の工数低減が図れる。
【００３４】
また、本実施の形態では、照明装置２１をダクトカバー１６の風路とは独立した空間に設置した仕様で説明したが、照明装置２１をダクトカバー１６の風路内の一部に設けてもよい。この場合、照明装置２１が蒸発器からの冷気により冷却され、何らかの原因で照明装置２１が連続して点灯した場合でも照明装置２１の発熱による温度上昇を防止でき安全性が向上する。
【００３５】
【発明の効果】
以上説明したように請求項１に記載の発明は、冷凍サイクルに可燃性冷媒を用いた冷蔵庫において、庫内灯ランプとソケットを一体化し、リード線との接続部をピン差込方式としてピン接続部を下方に向け、かつ前記ピン接続部の下方で前記リード線をＵ字状に形成した水切り部を設けることにより、前記リード線に付着した水滴が前記ピン接続部へ流れ込むことを防止する照明装置を用いたものであり、庫内灯ランプとリード線の接続部の緩みによる点灯時のスパークの発生を防止することができ、万が一可燃性冷媒が庫内に漏洩した場合でも、不安全になることを防止することができる。また、より確実にリード線に付着した水滴がピン接続部に流れ込むことを防止できる。
【００４１】
また、請求項２に記載の発明は、請求項１に記載の発明において、庫内冷却用の風路を形成するダクトカバーに前記風路とは独立した空間部を設け、前記空間部に照明装置を設けて透光性の照明カバーで覆ったものであり、万が一、蒸発器から可燃性冷媒が漏洩したとしても、照明装置は、風路とは独立した空間部に設け、前面に照明カバーを設けているので、直接、冷媒と接する可能性を低減できる。
また、請求項３に記載の発明は、請求項２に記載の発明において、リード線に水切り部を形成する位置決めのため、リード線の一部をダクトカバーに固定するものであり、確実に水切り部を形成してリード線に付着した水滴がピン接続部に流れ込むことを防止できる。
また、請求項４に記載の発明は、請求項１から３のいずれか一項に記載の発明において、照明装置の点灯制御を無接点リレーの扉スイッチで行なうものであり、照明装置の点灯制御時のスイッチからのスパークの発生源をなくすことができる。
【図面の簡単な説明】
【図１】本発明による冷蔵庫の実施の形態１の正面図
【図２】同実施の形態の冷蔵庫の冷蔵室のダクトカバー正面図
【図３】同実施の形態の冷蔵庫の冷蔵室のダクトカバーを裏面から見た要部拡大図
【図４】同実施の形態の冷蔵庫の照明装置の斜視図
【図５】同実施の形態の冷蔵庫の照明装置のＡ−Ａ断面図
【図６】従来の冷蔵庫の照明装置の断面図
【符号の説明】
１２  冷蔵庫
１６  ダクトカバー
１７  吐出風路
１８  吸込風路
２１  照明装置
２３  照明カバー
２４  リード線
２５  コネクタ
２６  ピン
２７  水切り部
２８  ソケット
２９  庫内灯ランプ
３０  カバー部
３１  扉スイッチ
【図１】
0003667282.tif 000002
【図２】
0003667282.tif 000003
【図３】
0003667282.tif 000004
【図４】
0003667282.tif 000005
【図５】
0003667282.tif 000006
【図６】
0003667282.tif 000007